(57)【要約】【課題】弁当箱等の箱を一地方の行政区画の地図境界を模した形状としてその地方を紹介するとともに、その区画内に沢山の特産品を盛り合わせて地方色豊かな陳列でその地方を紹介できるようになし、しかも、その区画内において販売地域が限られなくともいずれの販売地域でもその地域の特産品に力を入れた配置になし得る弁当等の食品販売用箱を提供する。【解決手段】一地方の行政区画の地図の境界を模して成形されるプラスチック製の身と蓋とからなり、当該地方の多数の特産品を地域毎に割り当てることにより陳列できるように、身の中に仕切部材を組み替え可能に設け、蓋には当該地方の特産品や行事、名所等の特色を紹介する表示を設けたことを特徴とする。【選択図】    図１
0003171489.tif 000002
【実用新案登録請求の範囲】
【請求項１】
一地方の行政区画の地図の境界を模して成形されるプラスチック製の身と蓋とからなり、当該地方の多数の特産品を地域毎に割り当てることにより陳列できるように、身の中に仕切部材を組み替え可能に設け、蓋には当該地方の特産品や行事、名所等の特色を紹介する表示を設けたことを特徴とする弁当等の食品販売用箱。
【請求項２】
身の内側に内部を大まかに分ける中壁を一体に設け、それを逆Ｕ字形の反転断面に形成し、周壁および中壁に仕切部材の縁を差し込む多数の係合溝を設け、係合溝の数で仕切部材の組み替えが可能となっていることを特徴とする請求項１記載の弁当等の食品販売用箱。
【請求項３】
仕切部材をＴ字形若しくＴ字形が複数となる複合Ｔ字形であることを特徴とする請求項１又は２記載の弁当等の食品販売用箱。
【考案の詳細な説明】
【技術分野】
【０００１】
この考案は、弁当や菓子類等を詰めて駅の売店やコンビニ、道の駅等において客に提供される弁当等の食品販売用箱に関する。
【背景技術】
【０００２】
従来、駅弁等の容器としては、薄木板や厚紙等で折られた折箱や輪っぱが使用されてきたが、最近ではプラスチックシートにプレス加工を施して成形したものが多用される。使用については、身にご飯とともに具や副菜が盛りつけられ、これに蓋を被せて紐で結び止められる。そして、蓋の上に同時に止められる紙片に、駅弁の名称や名物としての由来等の説明が記載される。また、箱をその地方の地図を表す県境に似せて形成し、或いは、その地方の地図を添付することにより、購入者に特産品を紹介するとともにその購買意欲を喚起させる提案がなされる（特許文献１）。
【０００３】
当該特許文献では、秋田県をあしらった箱形において、男鹿半島の近くに旧八郎潟を形象して孔を開け、孔に手を掛けて持ち運びやすくして県をアピールし、十和田湖に該当する部分や田沢湖に該当する部分に孔を開け、孔から内部の食品等が見えるようにしたりして、特産品の購買意欲の喚起が図られる。
【先行技術文献】
【特許文献】
【０００４】
【特許文献１】特開平９−５８６９２号公報
【考案の概要】
【考案が解決しようとする課題】
【０００５】
しかしながら、上記のような従来のこの種の箱であると、八郎潟や十和田湖、田沢湖が地方の特色をアピールするが、湖水を連想させる小さな窓孔を通して中身の特産品を見せるため、覗き見程度の陳列効果しか得られなかった。しかも、アピールする特産品が特定の地域、例えば、十和田湖に印象として限られるという問題があった。
【０００６】
この考案は、上記のような実情に鑑みて、弁当箱等の箱を一地方の行政区画の地図境界を模した形状としてその地方を紹介するとともに、その区画内に沢山の特産品を盛り合わせて地方色豊かな陳列でその地方を紹介できるようになし、しかも、その区画内において販売地域が限られなくともいずれの販売地域でもその地域の特産品に力を入れた配置になし得る弁当等の食品販売用箱を提供することを課題とした。
【課題を解決するための手段】
【０００７】
上記の課題を解決するために、この考案は、一地方の行政区画の地図の境界を模して成形されるプラスチック製の身と蓋とからなり、当該地方の多数の特産品を地域毎に割り当てることにより陳列できるように、身の中に仕切部材を組み替え可能に設け、蓋には当該地方の特産品や行事、名所等の特色を紹介する表示を設けたことを特徴とする弁当等の食品販売用箱を提供する。
【０００８】
弁当等の食品販売用箱を上記のように構成したから、これを使用するときには、これに地方の特産品を盛り合わせて駅や旅館等の売店で販売することになるが、仕切部材の組み替えによりその販売地の特産品を最もアピールする配置に盛り合わせをなすことができる。
【考案の効果】
【０００９】
以上説明したように、この考案の弁当等の食品販売用箱によれば、一地方を模した中に多数の区分により多数の特産品を盛り合わせて展示すると、消費者では蓋の表示と見比べて特産品の特色や良さを地方色豊かに納得し美味しく食事でき、また、身の中の区画を仕切部材の取り替えで変えることにより、販売地の特産品に力を入れた陳列に都合良くなし、いずれの地域でも客の喚起を集中させ、販売効果を高めることができるという優れた効果がある。
【図面の簡単な説明】
【００１０】
【図１】この考案の弁当等の食品販売用箱について富山県を模した形態で示す分解斜視図である。
【図２】同弁当等の食品販売用箱について仕切部材を組み込んで示す身の平面図である。
【図３】同弁当等の食品販売用箱について身を示す正面図である。
【図４】他の実施例を示す身の平面図である。
【図５】図４のＡ−Ａ線矢視の拡大断面図である。
【図６】さらに他の実施例を示す図５に対応する断面図である。
【考案を実施するための形態】
【００１１】
この考案において、弁当等の食品販売用箱Ｐは、いずれかの行政区画の地図境界を模した形状とするものであるが、県ばかりでかく市町村の単位であっても良い。そして、行政区画内の小分けは仕切部材の選択や配置により使用者において自由な思いや考えでなし得る。
【００１２】
身１と蓋３とのうち、身１については仕切部材９，１１で食品等を盛る多くの地域に分け、蓋３の表面には数多くの特産品や行事、名所等の特色の表示１２，１２，・・をなすが、相互にできるだけイメージ的につながるように位置づけする。ただし大雑把であって良い。
【００１３】
県等の形状は緻密であることは要しなく、大雑把なデフォルメ形状が好ましい。また、各県の形は様々であるが、隣接県とは接合する形状となるから、この点を考慮して全国の県を想定し、各県について弁当等の食品販売用箱Ｐ，Ｐ，・・を製造して提供するとすれば、食して残った箱を組み合わせることによりパズルのように日本国模型を組み立てることができる。
【実施例１】
【００１４】
図１ないし図３は一実施例を示したもので、その弁当等の食品販売用箱Ｐは、富山県の境界形をイメージするデフォルメしたような身１とそれに被さるほゞ同じ形状の蓋３とからなり、それぞれプラスチックシートにプレス加工を施すことにより成形される。富山県は、能登半島Ｑが突き出る内側が入り込んだ深い富山湾２を有し、左側がその能登半島Ｑを有する石川県、右側に新潟県が、背後に岐阜県と長野県が隣接している。
【００１５】
身１は、箱周壁５の上端に外側へ屈折する鍔部６が形成され、内部をほゞ二分する位置に中壁７が逆Ｕ字形の反転断面のリブ構造において形成され形態の安定化が図られる。また、中壁７は、富山県を東部と西部に二分する呉羽山をイメージしているが、弓形方向にやゝ湾曲した形状を取って、下面に開き８があっても、東部と西部とで二つ折りになりにくく安定性が確保される。
【００１６】
中壁７によって分けられる東部と西部との両空間には、それぞれの空間を数個に仕切る多片構造の仕切部材９，１１が取り替え可能に納められる。それを支持するために、周壁５と中壁７とに仕切部材９，１１の端縁が差し込まれる多数の係合溝１３，１３，・・が形成される。仕切部材９，１１は、複数の種類があって（製造において）一律ではない。このため、係合溝１３は全ての仕切部材９，１１を支持できる個数に設けられ、使用状態を示す図示（図３）でも、未使用の係合溝１３が存在する。
【００１７】
図示の仕切部材９，１１の多片構造については、周壁５と中壁７との間にわたされる主片１５に周壁５に枝分かれして延びる副片１７が突出し、主副両片１５，１７が縦横の関係において一体化されている。この一体化はＴ字形の形状である仕切部材９と、Ｔ字形が二つとなる複合Ｔ字形の仕切部材１１との２種類を示す。いずれもＴ字形において安定して組み込まれる。
【００１８】
仕切部材１１を組み込まれた東部では、富山市が該当すると想定される狭い中心地域１９が設けてあり、その右に滑川市、魚津市、黒部市等が含まれる漁業が盛んな湾岸・山岳地域２１がある。この地域２１は、漁業が盛んであると同時に山の幸が期待され、そのような食品が盛られる。なお、この地域には蛍イカが海岸に寄せる季節がある。また、背後の山岳には黒部ダム、トロッコ電車で観光客が呼び込まれる。
【００１９】
中心地域１９には、狭いのでお新香や一口お菓子等が入りやすい。或いは、蛍イカの佃煮で名物を際立たせることもできる。中心地域１９の下方には、広く田園・山麓地域２２があり、広い区域なので、ここにはご飯、或いは富山の名産鱒寿司が納まり、立山の伏流水で育まれた美味しい米を御馳走できる。なお、この地方で富山市に近い八尾ではおわらぶしの踊りが有名である。
【００２０】
西部では、Ｔ字形の仕切部材９を使用し３区分される。中壁７を介して中心地域１９に隣接する湾岸・副心地域２３があり、瑞龍寺、銅器等で古い高岡市を擁する。蒲鉾等を盛るのはどうであろうか。また、その左側の県境とも接する漁業・田園地域２５では、漁港と名景色（海の背景が立山連峰）の氷見を擁する。ブリと大根の煮込みを御馳走できる。また、下方の合掌造りで有名な五箇山地域２７では、山芋の煮つけ等が盛られる。有名なソウメンを御馳走しても良い。
【実施例２】
【００２１】
図４および図５は他の実施例を示したもので、この場合は、周壁５を反転する二重構造となし、この周壁５と同じく二重構造の中壁７に係合溝１３（図示省略）が設けられる。内部には係合溝１３との結合により仕切部材９ａ，１１ａが嵌め込まれる（なお、二点鎖線で多様な形状になることを示す）。
【００２２】
図６はさらに他の実施例を示し、この場合は富山県の境界をデフォルメした周壁５を起立して形成し、その枠内に、仕切部材（図示省略）が全体的に嵌まるように構成される。
【００２３】
なお、上記実施例では、行政区画が日本の県単位、市町村単位である場合を示したが、行政区画の単位については、さらに大きなブロック（例えば北陸ブロック、九州ブロックなど）を単位とすることもでき、さらには各国の州単位、国単位、大陸単位などをも一単位として企画することができ、その各単位を連設することによって、例えばヨーロッパ大陸とか、世界地図等の組み合わせを楽しむことができる。
【符号の説明】
【００２４】
Ｐ  弁当等の食品販売用箱
１  身
３  蓋
５  周壁
７  中壁
１２  表示
９，１１  仕切部材
１３  係合溝
１９，２１，２２，２３，２５，２７  （名産）地域
【図１】
0003171489.tif 000003
【図２】
0003171489.tif 000004
【図３】
0003171489.tif 000005
【図４】
0003171489.tif 000006
【図５】
0003171489.tif 000007
【図６】
0003171489.tif 000008